(57)【特許請求の範囲】
【請求項１】
高所作業用作業台の各コーナ部に支柱を立設させ、当該支柱に支持され作業台の床板の外縁に沿って手摺を備えた高所作業台用手摺であって、作業台の床板の一側縁より拡張床を張出して拡張可能に構成し、当該一側縁の手摺を両端に設けた手摺用支柱に係止させ、前記一側縁に隣接した側縁の一側縁側の前記支柱と手摺用支柱間を中央部で折り曲げ可能な平行四辺形リンクで連結させ、当該平行四辺形リンクを折れ曲げ時に折り曲げ点が上下方向に移動し折り畳んだ時にリンクが厚さ方向に重なるよう構成し、前記一側縁の手摺を、拡張床の張出し時には前記リンクを伸ばした状態にして拡張床の一側縁に、拡張床の格納時には前記リンクを折り畳み状態にして作業台の床板の一側縁に配置できるようにしたことを特徴とする高所作業台用手摺。
【発明の詳細な説明】
【０００１】
【発明の属する技術分野】
本発明は、高所作業台用手摺に関するものである。
【０００２】
【従来の技術】
この種の高所作業台を備えた高所作業車Ａを例に以下に説明する。図４，図５に図示するように、高所作業車Ａは、車両１上に鉛直に取付けた内箱２に中箱３を，中箱３に外箱４を順次伸縮自在に外嵌させ、各箱間に適宜の伸縮駆動手段を配置して内箱２に対して中箱３を，中箱３に対して外箱４それぞれ伸縮可能に構成している。外箱４には作業台５を取付け、中箱３，外箱４をそれぞれ伸長させて作業台５を高所位置に位置させ、作業台５に搭乗した作業者を高所位置に位置させて高所作業を行えるようにしている。
【０００３】
また、車両１には車両１より側方に張出して先端にジャッキ６を備えたアウトリガ７を配置し、当該アウトリガ７により作業台５を高所位置に位置させた車両１を転倒させないように地面に支持させるようにしている。
【０００４】
このような高所作業車Ａの作業台５には、の各コーナ部に支柱８を立設させ、当該支柱８に支持され作業台５の床板５ａの外縁の一縁に沿って手摺９を備えている。また作業台５の床板５ａの側縁には支柱１６に支持された手摺１７を配置している。ところで、高所作業車Ａは、作業台５の床板５ａの一側縁から拡張用床１０を張出し、作業台５の床を拡張可能に構成している。
【０００５】
すなわち、作業台５の床板５ａの一側縁には拡張用床１０を枢支させ、格納時には拡張用床１０を鉛直姿勢とし、張出し時には枢支点を中心に外方に回動させて作業台５の床板５ａの一側縁より拡張用床１０を張出し床を拡張させるようになっている。張出し時における拡張用床１０は、作業台５の床板５ａに当接して拡張用床１０を張出す際のストッパーとしている。よって当接させた拡張用床１０は、略水平状態を維持させるようになっている。
【０００６】
また、作業台５の床板５ａの下面側には弾性体を内臓したシリンダ１１を配置し、当該シリンダ１１のロッドをリンクロッド１２を介して拡張用床１０の下面側に連結させている。このように、配置したシリンダ１１は、拡張用床１０を張出し，格納する際のアシストとして機能させるようにしたものである。
【０００７】
【発明が解決しょうとする課題】
ところで、作業台５より拡張床１０を張出した時には、作業台５の床板５ａの一側縁に支柱８に支持させた手摺９を外し、拡張用床１０による外縁の一側縁に持っていって取付ける必要がある。すなわち、手摺９の両端は支柱８に係止されており、支柱８は作業台５の床板５ａのコーナ部に設けた穴１４に差し込んで立設させており、拡張用床１０のコーナ部にも支柱８を差し込む穴１５を設けてあり、拡張用床１０を張出した時には支柱８を穴１５に差し込み立設させるようにしてある。
【０００８】
手摺９を拡張用床１０の一側縁に持っていった時に、拡張用床１０の側縁側には移動させた支柱８と作業台５の床板５ａの側縁に配置した支柱１６間に補助手摺１３を連結させている。
【０００９】
このように作業台５より拡張床１０を張出しあるいは格納する度に、手摺９を移動させる必要がある。すなわち、手摺９の移動時には手摺９によってガイドされていない状態のもと作業者は手摺９を持って拡張用床の一側縁にまで移動しなければならず、作業者が誤って拡張床１０の一側縁を超えて転落する危険性を有していた。特に、高所位置に作業台５を位置させた時に拡張用床１０を張出したり格納する場合があり、このような作業は更に危険を伴うものであった。
本発明は、このような課題を解決した高所作業台用手摺を提供することを目的とするものである。
【００１０】
【課題を解決するための手段】
上記の目的を達成するため、本発明の高所作業台用手摺は、高所作業用作業台の各コーナ部に支柱を立設させ、当該支柱に支持され作業台の床板の外縁に沿って手摺を備えた高所作業台用手摺であって、作業台の床板の一側縁より拡張床を張出して拡張可能に構成し、当該一側縁の手摺を両端に設けた手摺用支柱に係止させ、前記一側縁に隣接した側縁の一側縁側の前記支柱と手摺用支柱間を中央部で折り曲げ可能な平行四辺形リンクで連結させ、当該平行四辺形リンクを折れ曲げ時に折り曲げ点が上下方向に移動し折り畳んだ時にリンクが厚さ方向に重なるよう構成し、前記一側縁の手摺を、拡張床の張出し時には前記リンクを伸ばした状態にして拡張床の一側縁に、拡張床の格納時には前記リンクを折り畳んだ状態にして作業台の床板の一側縁に配置できるようにしたことを特徴とするものである。
【００１１】
【発明の実施の形態】
以下本発明の高所作業台用手摺について、従来技術で説明した高所作業車Ａに実施した場合について図１〜図３に図示し以下に説明する。したがって、符号１〜符号１７については、従来の技術で説明したものと同じであるので、以下の説明においても同じ符号を使用し詳細な説明は省略する。
【００１２】
図１において、２０は、手摺用支柱であって、その上部に手摺９の両端を係止し下部を前記穴１４，１５に挿入可能にしている。２１は、ガイド筒であって、前記手摺用支柱２０に外嵌させ、ガイド筒２１より手摺用支柱２０を抜き差し可能にしている。
【００１３】
２２は、ガイド筒２１と前記支柱８間に配置した平行四辺形リンクである。平行四辺形リンク２２は、ガイド筒２１の上下にガイド筒側リンク２２ａ，２２ｂの一端をそれぞれ枢支して配置するとともに、支柱８の上下に支柱側リンク２２ｃ，２２ｄの一端をそれぞれ枢支して配置させている。そしてそれぞれのリンクの他端をお互いに枢動可能に連結２２ｅ，２２ｆすると共に、連結２２ｅ，２２ｆ間を中間リンク２２ｇで枢動可能に連結させてある。
【００１４】
図２に図示するように中間リンク２２ｇは、ガイド筒側リンク２２ａと支柱側リンク２２ｃ間に位置するように配置し、折り畳んだ状態ではこれらの各リンクは重なり合うように配置している。
【００１５】
２３は、ストッパーであって、平行四辺形リンク２２の連結２２ｅ，２２ｆが上方に移動して折れ曲るようにするために、平行四辺形リンク２２のガイド筒側リンク２２ａ，２２ｂと支柱側リンク２２ｃ，２２ｄが水平状態にまでならずに少し折れ曲っている状態までしか伸ばせないようにロックするもので、ガイド筒２１に取付けられたストッパー２３にガイド筒側リンク２２ａが当接することによりロックするようにしてある。
【００１６】
なお、ガイド筒２１は左右一対配置され、手摺９の両端に係止した左右の手摺用支柱２０がそれぞれ差し込まれており、左右の各手摺用支柱２０とそれに対応する左右の各支柱８間に、前記平行四辺形リンク２２をそれぞれ配置している。
【００１７】
そして、平行四辺形リンク２２を折り畳んで各リンクを重なり合わせた状態では、図２〜図３に図示するように作業台５の床板５ａの一側縁に設けた穴１４に手摺用支柱２０の下部を差し込める状態となるように穴１４の位置を決定している。また、前記ストッパー２３にガイド筒側リンク２２ａが当接するまで平行四辺形リンク２２を伸ばした状態では、図１に図示するように拡張床１０の一側縁にまで手摺用支柱２０を差し込んだガイド筒２１を移動させ、拡張床１０の一側縁に設けた穴１５に手摺用支柱２０の下部を差し込める状態となるように穴１５の位置を決定している。
【００１８】
２４は、拡張床１０を張出し前記ストッパー２３にガイド筒側リンク２２ａが当接するまで平行四辺形リンク２２を伸ばした状態で拡張床１０の一側縁に設けた穴１５に手摺用支柱２０の下部を差し込んだ時に、支柱８と手摺用支柱２０の上端部間を連結する補助手摺である。この補助手摺２４は、拡張床１０を格納している状態では、図２に図示するように、支柱８の上端部に補助手摺２４の一端を枢支して鉛直にぶら下げた状態にしてあり、拡張床１０を張出した状態では、図１に図示するように、補助手摺２４を略９０度回転させ補助手摺２４の他端に設けたボルトを手摺用支柱２０の上端部に設けた取付け穴に貫入させ蝶ナットで締め付けて補助手摺２４の他端と手摺用支柱２０の上端部を連結させるようにしている。
【００１９】
２５は、抜け止めピンであって、手摺用支柱２０の下端部を前記穴１４または穴１５に差し込んだ状態で、前記ガイド筒２０の下方に位置する手摺用支柱２０に開けた細い穴に貫通させた松葉ピンであり、手摺用支柱２０の下端部を前記穴１４または穴１５から抜こうとした時に抜け止めピン２５がガイド筒２０の下方に当接して手摺用支柱２０の下端部を前記穴１４または穴１５から抜け出るのを阻止させるためのものである。
【００２０】
このように構成した、本発明の高所作業台用手摺は、次のように作用する。
まず作業台５の床板５ａより拡張床１０を格納状態にしている時は、前記平行四辺形リンク２２は折り畳んで各リンクを重ねた状態にしてガイド筒２１に差し込まれた手摺用支柱２０の下端部を作業台５の床板５ａの一側縁に設けた穴１４に差し込んでいる。よって手摺９は作業台５の床板５ａの一側縁に沿って設けられる。
【００２１】
次に、作業台５の床板５ａより拡張床１０を張出し状態にしている時は、前記抜け止めピン２５を手摺用支柱２０から抜き、手摺用支柱２０の下端部を作業台５の床板５ａの一側縁に設けた穴１４より引き抜き、ガイド筒２１に手摺用支柱２０を差し込んだまま手摺９を拡張床１０の一側縁方向に移動させる。すると前記平行四辺形リンク２２は伸び、前記ストッパー２３にガイド筒側リンク２２ａが当接するまで平行四辺形リンク２２が伸びる。この状態で手摺用支柱２０の下端部を拡張床１０の一側縁に設けた穴１５に差し込み、前記抜け止めピン２５を手摺用支柱２０の細い穴に差し込む。
【００２２】
そして補助手摺２４を略９０度回転させ補助手摺２４の他端に設けたボルトを手摺用支柱２０の上端部に設けた取付け穴に貫入させ蝶ナットで締め付けて補助手摺２４の他端と手摺用支柱２０の上端部を連結させる。このようにして手摺９は床板５ａより張出した拡張床１０の一側縁に沿って設けられる。また拡張床１０の側方に沿った外縁には平行四辺形リンク２２と補助手摺２４による手摺が設けられる。逆に作業台５の床板５ａより拡張床１０を格納する場合は、上記と逆に操作すればよい。
【００２３】
このように作業台５より拡張床１０を張出しあるいは格納する度に、手摺９を移動させるものであるが、手摺９を移動させる時には手摺用支柱２０をガイド筒２１に差し込んだまま移動させるものであり、ガイド筒２１は平行四辺形リンク２２で支柱８に支持されているものであるから、穴１４から手摺用支柱２０の下端部を引き抜いても手摺用支柱２０は倒れず、拡張床１０の一側縁を超えて手摺９および手摺用支柱２０を移動させることはない。したがって、作業者が誤って拡張床１０の一側縁を超えて転落するといったことをなくすることができる。
【００２４】
また、作業台５より拡張床１０を張出し手摺９を移動させるときに、拡張床１０の側方外縁は平行四辺形リンク２２によってガードしているものであるから、この時に作業者が転落することを阻止できる。更に、平行四辺形リンク２２にて手摺用支柱２０の下端部を穴１５の位置に案内するものであるから、手摺用支柱２０の下端部を穴１５に差し込むのを容易にすることができる。
【００２５】
なお、上記実施形態では、手摺９の両端を手摺用支柱２０に係止させたが、手摺９と手摺用支柱２０を一体にしたものであってもよい。
【００２６】
更に、ガイド筒２１に手摺用支柱２０を差し込むようにし、ガイド筒２１に平行四辺形リンク２２、を取付けるようにしたが、手摺用支柱２０に直接平行四辺形リンク２２を取付けるようにしてもよい。この場合、穴１４，１５に手摺用支柱２０の下端部を抜き差しできないが、手摺用支柱２０の下端部と床板５ａあるいは拡張床１０間に適宜の着脱可能な連結装置を取付ければよい。
【００２７】
次に、上記実施形態では、拡張床１０を作業台５の床板５ａに枢支させ、回動させることにより作業台５の床板５ａより拡張床１０を張出すようにしたが、これに限らず拡張床１０を作業台５の床板５ａより伸縮させて張出し格納する等他の方法で拡張床１０を張出し格納させるようにしたものであっても本発明を実施できる。
【００２８】
【発明の効果】
以上の如く構成し作用する本発明の高所作業用手摺は、手摺を移動させる時には平行四辺形リンクで支柱に支持されているものであるから、手摺を移動させる時に手摺および手摺用支柱は倒れず、拡張床の一側縁を超えて手摺および手摺用支柱を移動させることはない。したがって、作業者が誤って拡張床の一側縁を超えて転落するといったことをなくすることができる。
【００２９】
また、作業台より拡張床を張出し手摺を移動させるときに、拡張床の側方外縁は平行四辺形リンクによってガードしているものであるから、この時に作業者が転落することを阻止できる。
【図面の簡単な説明】
【図１】本発明の高所作業用手摺を説明する説明図で、拡張床を張出した状態を示している。
【図２】本発明の高所作業用手摺を説明する説明図で、拡張床を格納し平行四辺形リンクを折り畳んだ状態を示している。
【図３】本発明の高所作業用手摺を説明する説明図で、図２の平行四辺形リンク部分を平面視した図である。
【図４】従来の高所作業用手摺を説明する説明図である。
【図５】従来の高所作業用手摺を説明する説明図で、図４を側面視した図である。
【符号の説明】
５作業台
５ａ床板
８支柱
９手摺
２０手摺用支柱
２２平行四辺形リンク
【図１】
0004526141.tif 000002
【図２】
0004526141.tif 000003
【図３】
0004526141.tif 000004
【図４】
0004526141.tif 000005
【図５】
0004526141.tif 000006